(57)【要約】【課題】  一般に使用されている栽培装置は、栽培しようとする植物は平面的に配置されており、上から照明をして栽培している。このような装置は広い面積を必要とするため、栽培の効率はあまり良くない上に、照明の効率も良くない。【解決手段】基台に垂直方向に、それぞれ植物を横方向に置くことができる一対の植物台を対抗して設置し、前記一対の植物台の中間に前記基台に垂直方向に照明装置を設置し、この照明装置の光を前記植物台方向に照射する。【選択図】図１
2016208957.tif 000002
【特許請求の範囲】
【請求項１】
基台に垂直方向に、それぞれ植物を水平方向に置くことができる一対の植物台を対抗して設置し、前記一対の植物台の中間に前記基台に垂直方向に照明装置を設置し、この照明装置の光を前記植物台方向に照射することを特徴とする植物栽培装置。
【請求項２】
前記植物台は、前記基台に垂直方向に立設した板と、この板に少し上方を向けて複数並行して設けた台とを備えたことを特徴とする請求項１記載の植物栽培装置。
【請求項３】
前記植物台は、前記基台に垂直方向に立設した板と、この板に複数垂直方向に設けられた水耕栽培用容器とを備え、この水耕栽培容器の側面に植物を水平方向に出す出口を設け、前記水耕栽培容器に水耕溶液を加える上段の水耕栽培容器から来たチューブと前記水耕栽培容器からあふれ出した水耕溶液を下段の水耕栽培容器へのチューブに加えることを特徴とする請求項１記載の植物栽培装置。
【請求項４】
Ｕ字状を数回折り返して作られたレールを備え、このレールに、植物を水平方向に設置することができる台を複数垂直方向に備えた植物台をフックにて複数引っかけ、前記Ｕ字状にした部分の中央部に両面を照らす照明装置を設けたことを特徴とする植物栽培装置。
【請求項５】
前記レールの一方の端を、若い植物を載置した前記台を入れる側とし、前記レールの他方の端を、完成した植物の取り出す側としたことを特徴とする請求項６記載の植物栽培装置。
【請求項６】
多角形状にした容器内面に垂直方向に、かつ容器内面沿って、植物を水平方向に設置して、前記容器内方向に植物が出るようにすることができる台を設置し、前記容器内面の中央部に管状の照明装置を設けたことを特徴とする植物栽培装置。
【請求項７】
前記容器に、若い植物を投入する投入口を設け、完成した植物を取り出す取出口を設け、前記容器を、前記若い植物を投入してから完成した植物を取り出すまで数回転させることを特徴とする請求項６記載の植物栽培装置。
【発明の詳細な説明】
【技術分野】
【０００１】  本発明は、野菜や花を栽培できる照明装置を用いた植物栽培装置に関するものである。
【背景技術】
【０００２】  一般的に使用されている植物栽培装置は例えば、特開２０１３−０５９２９１号公報に示されているように、栽培しようとする植物は平面的に配置されており、上から照明をして栽培している。このような装置は広い面積を必要とするため、栽培の効率はあまり良くない上に、照明の効率も良くない。
【先行技術文献】
【特許文献】
【０００３】
【特許文献１】特開２０１３−０５９２９１号公報
【発明の概要】
【発明が解決しようとする課題】
【０００４】  上記特許文献に示されている装置は上記で説明したような問題点を有している。そこで、本発明は、より効率の良い栽培装置を提供することを目的とする。
【課題を解決するための手段】
【０００５】  本発明の植物栽培装置は、基台に垂直方向にそれぞれ植物を水平方向（横方向）に置くことができる一対の植物台を対抗して設置し、前記一対の植物台の中間に前記基台に垂直方向に照明装置を設置し、この照明装置の光を前記植物台方向に照射することを特徴とする。【０００６】  また、前記植物台は、前記基台に垂直方向に立設した板と、この板に少し上方を向けて複数並行して設けた台とを備えたことを特徴とする。
また、前記植物台は、前記基台に垂直方向に立設した板と、この板に複数垂直方向に設けられた水耕栽培用容器とを備え、この水耕栽培容器の側面に植物を横方向に出す出口を設け、前記水耕栽培容器に水耕溶液を加える上段の水耕栽培容器から来たチューブと前記水耕栽培容器からあふれ出した水耕溶液を下段の水耕栽培容器へのチューブに加えることを特徴とする。【０００７】  また、Ｕ字状を数回折り返して作られたレールを備え、このレールに、植物を横方向に設置することができる台を複数垂直方向に備えた植物台をフックにて複数引っかけ、前記Ｕ字状にした部分の中央部に両面を照らす照明装置を設けたことを特徴とする。
また、前記レールの一方の端を、若い植物を載置した前記台を入れる側とし、前記レールの他方の端を、完成した植物の取り出す側としたことを特徴とする。【０００８】  また、多角形状にした容器内面に垂直方向に、かつ容器内面沿って、植物を横方向に設置して、前記容器内方向に植物が出るようにすることができる台を設置し、前記容器内面の中央部に管状の照明装置を設けたことを特徴とする。
さらに、前記容器に、若い植物を投入する投入口を設け、完成した植物を取り出す取出口を設け、前記容器を、前記若い植物を投入してから完成した植物を取り出すまで数回転させることを特徴とする請求項６記載の植物栽培装置。
【発明の効果】
【０００９】  以上のように、本発明の植物栽培装置によれば、垂直方向に植物台を複数を設け、間に照明装置を設置しているので、植物台を水平方向（横方向）にして従来のものに比べ小さな面積で構成でき効率が極めて良い。また、照明も両側を照らすことによりこれも効率が良い。【００１０】  また、若い植物を投入してから完成した植物を次々と得ることができる。
また、６角形の植物台を垂直に設けると蜂の巣のように組み合わすことができ、面積効率は極めて良くなるものである。
【図面の簡単な説明】
【００１１】
【図１】  本発明の実施の形態に係る植物栽培装置の垂直断側面図である。
【図２】  同植物栽培装置の一部斜視図である。
【図３】  同植物栽培装置の一部分解斜視図である。
【図４】  同他の実施の形態に係る植物栽培装置の断側面図である。
【図５】  同他の実施の形態に係る植栽培装置の平面図である。
【図６】  同さらに他の実施形態に係る植物栽培装置の平面図である。
【発明を実施するための形態】
【実施例】
【００１２】  以下、本発明の実施の形態について図面とともに説明する。
第１図、図２に示すように、基台１に垂直方向（垂直方向の意味は必ずしも正確に垂直でなくても良く少し傾くものも含むことである。）に植物台２ａ、２ｂを設ける。
この植物台２ａ、２ｂには複数の支持台３が少し上方を向けて垂直方向に設けられている。そして、この支持台３には根の部分をビニール等で覆った植物４が横方向に多数個置かれている。【００１３】  植物台２ａ、２ｂの中間に照明装置５が設置されている。照明装置５には多数個のＬＥＤ６が取り付けられている。ＬＥＤ６は左右に光を発するもの、一方向に光を発するものが使える。一方向に光を発するものの場合は二個ペアーで使用する。図３は左右方向に光を発するＬＥＤの例で２本の電線７，８が設けられている。一方はアース他方はプラスである。これらは板９に取り付けられており、板１０に穴１１が設けられていて個の穴にＬＥＤ６が覗くように板９，１０が貼り付けられて照明装置となる。【００１４】  このように構成し、支持台３に植物４を水平方向（横向き）に設置する。この方向は概略水平であればよい。光１２を植物４に照射することにより植物４を育成することができる。そして、植物４は基台１に垂直方向に設置されているので、横方向に設置した従来のものに比べ使用する地面の面積は少なくて済み効率的である。【００１５】  図４は、水耕栽培の例である。図４は垂直方向２個だけを例にして記載している。実際はもっと多く垂直方向に存在する。
植物台２ａは、前記基台１に垂直方向に立設した板１３と、この板１３に複数垂直方向に設けられた水耕栽培用容器１４と支持台３とを備え、この水耕栽培容器１４の側面に植物を横方向に出す出口１５を設け、前記水耕栽培容器１４に水耕溶液を加える上段の水耕栽培容器から来たチューブ１６と水耕栽培容器１４からあふれ出した水耕溶液を下段の水耕栽培容器へのチューブ１７にくわえる。チューブ１６，１７にはコンプレッサー１８とポンプ１９が接続されている。２０は減った分を補給する水耕液である。【００１６】  このように構成し、植物は根が水耕栽培容器１４に存在し葉は出口から横方向に出る。コンプレッサー１８、とポンプ１９により水耕液は循環する。水耕液の減った分は２０から補給される。水耕栽培容器１４は垂直方向に設置されるため上記と同様、横方向に設置した従来のものに比べ使用する地面の面積は少なくて済み効率的である。【００１７】  次に、別の実施の形態について説明する。図５に示すようにＵ字状を数回折り返して作られたレール２１を備え、このレール２１に、植物を横方向に設置することができる台を複数垂直方向に備えた植物台２２をフック２３にて複数引っかけ、Ｕ字状にした部分の中央部に両面を照らす照明装置２４を設ける。
そして、レール２１の一方の端を、若い植物を載置した前記台を入れる側とし、レール２１の他方の端を、完成した植物の取りだし側とする。【００１８】  このように構成することにより、植物２５は垂直方向に設置されるため上記と同様、水平方向に設置した従来のものに比べ使用する地面の面積は少なくて済み効率的である。そして、例えば植物としてレタスを用いた場合１週間で育つため若いレタスをレール２１の一端から入れ、他端から完成したレタスを取り出すようにすれば次々と完成品を取り出すことができる。【００１９】  最後に、さらに別の実施の形態を説明する。図６に示すように、六角形にした容器２６内面に垂直方向に、かつ容器２６内面沿って、植物２７を横方向に設置して、容器２６内方向に植物が出るようにすることができる台を設置し、容器２６内面の中央部に管状の照明装置２８を設ける。電球型のＬＥＤを複数個垂直方向に並べても良い。容器２６の形状は筒状で多角形であれば良い。容器２６を少し間隔をあけて蜂の巣状に並べると地面を有効に使用することができる。照明装置２８は直管蛍光灯或いは直管式ＬＥＤを数本縦向けて用いることができる。また、図４と同様水耕栽培とすることも可能である。
容器２６に、若い植物２７を投入する投入口２９と、完成した植物２７を取りだす取出口３０を設け、前記容器２６を、前記若い植物２７を投入してから完成した植物２７を取り出すまで１回転させる。２ないし３回転（数回転）でも良い。【００２０】  このように構成すると、植物２７は垂直方向に設置されるため上記と同様、横方向に設置した従来のものに比べ使用する地面の面積は少なくて済み効率的である。そして、例えば植物としてレタスを用いた場合１週間で育つため若いレタスを投入口２９から入れ、取出口３０から完成したレタスを取り出すようにすれば次々と完成品を取り出すことができる。容器２６を機械により連続回転させれば自動化も実現できる。
【産業上の利用可能性】
【００２１】  本発明は、レタスの栽培等として利用できる効率のよい栽培装置を提供できるものである。
【符号の説明】
【００２６】１：基台
２ａ：２ｂ：２２：植物台
３：支持台
４：２５：２７：植物
５：２４：２８：照明装置
６：ＬＥＤ
７：電線
８：電線
９：板
１０：板
１１：穴
１２：光
１３：板
１４：水耕栽培容器
１５：出口
１６：チューブ
１７：チューブ
１８：コンプレッサー
１９：ポンプ
２０：水耕液
２１：レール
２３：フック
２６：容器
２９：投入口
３０：取出口
【図１】
2016208957.tif 000003
【図２】
2016208957.tif 000004
【図３】
2016208957.tif 000005
【図４】
2016208957.tif 000006
【図５】
2016208957.tif 000007
【図６】
2016208957.tif 000008